(57)【要約】【課題】就寝時における敷き具に対する上掛け具の位置ずれを効果的に防止することができると共に、市販の寝具に対しても比較的容易に装着して使用することができる、汎用性の高い、寝具の位置ずれ防止キットを提供する。【解決手段】この寝具のずれ防止キットは、敷き具２０の下面又は間に挟み込んで使用される固定板３０と、固定板３０の一側辺に沿って取付けられた第１ファスナ３１と、第１ファスナ３１に着脱可能に係合する第２ファスナ５２が取付けられ、上掛け具１０の一辺に沿って取付けられる連結帯５０とを備え、固定板３０は、少なくとも一箇所において折り畳み可能とされている。【選択図】図１
2012245283.tif 000002
【特許請求の範囲】
【請求項１】
上掛け具の一辺を、敷き具に対して間接的に連結して、前記上掛け具のずれを防止するために用いられる寝具のずれ防止キットにおいて、
前記敷き具の下面又は間に挟み込んで使用される固定板と、
前記固定板の一側辺に沿って取付けられた第１ファスナと、
前記第１ファスナに着脱可能に係合する第２ファスナが取付けられ、前記上掛け具の一辺に沿って取付けられる連結帯とを備え、
前記固定板は、少なくとも一箇所において折り畳み可能とされていることを特徴とする寝具のずれ防止キット。
【請求項２】
前記連結帯には、前記上掛け具の一辺に縫着するときの指標となる縫い付けマーカーが所定間隔で施されている請求項１記載の寝具のずれ防止キット。
【請求項３】
前記連結帯と前記上掛け具の一辺とを仮固定するための複数のクリップを更に備える請求項１又は２記載の寝具のずれ防止キット。
【請求項４】
前記固定板は、複数に分割されて、袋状のカバーで覆われ、該カバーは、前記複数に分割された固定板どうしの間で止め縫いされて、該固定板が前記カバー内で大きく動かないように保持されており、前記カバーの一側辺に前記第１ファスナが取付けられている請求項１〜３のいずれか１つに記載の寝具のずれ防止キット。
【請求項５】
前記第１ファスナ及び前記第２ファスナは、スライドファスナである請求項１〜４のいずれか１つに記載の寝具のずれ防止キット。
【請求項６】
前記固定板は、前記敷き具の幅にほぼ適合する長さを有し、前記敷き具の下辺部に沿って配置されるものであり、前記連結帯は、前記固定板と同様な長さを有し、前記上掛け具の下辺部に沿って取付けられるものである請求項請求項１〜５のいずれか１つに記載の寝具のずれ防止キット。
【発明の詳細な説明】
【技術分野】
【０００１】
本発明は、就寝時に、掛け布団や毛布等の上掛け具が、敷き布団やベッドのマットレス等の敷き具に対してずれることを防止するための、寝具のずれ防止キットに関する。
【背景技術】
【０００２】
敷き布団やベッドのマットレス等の敷き具と、掛け布団、毛布、タオルケット等の上掛け具とからなる寝具は、就寝時の寝返りや寝相によって、上掛け具が引張られたり、めくれたり、丸まったりして、敷き具に対して上掛け具が位置ずれしてしまうことが多く、寝冷えや安眠の妨げとなるという問題があった。
【０００３】
このような上掛け具の位置ずれを防止するために、様々なものが提案されている。例えば、下記特許文献１には、掛け布団の足下部から所定幅の帯状部が延設されると共に、敷き布団の足下部から所定幅の帯状部を延設され、両帯状部にそれぞれ着脱可能な面ファスナが形成された、就寝中のズレ防止用布団が記載されている。そして、面ファスナで両帯状部を互いに貼着し、両帯状部を一対の押さえ板で挟み込んだ後、接合凸部と接合凹部とを有する複数のフックで押さえ板どうしを固定することで、掛け布団を敷き布団に固定するようになっている。
【０００４】
また、下記特許文献２には、掛け布団カバーの両側辺にファスナが取付けられ、敷き布団カバーの両側辺にもファスナが取付けられて、両ファスナを互いに接合することにより、掛け布団カバーの両側が敷き布団カバーに取付けられるように構成された、布団カバーが記載されている。
【０００５】
更に、下記特許文献３には、就寝者の身体及び足部を包む１枚目の毛布本体と、一端が前記毛布本体の丈方向１／５〜１／２の位置に取付けられ、他端が敷き布団の下に挟み込まれる２枚目の毛布とを備えた、貼り合わせ式毛布が記載されている。なお、２枚目の毛布の一端には面ファスナが付設されており、これが１枚目の毛布本体の面ファスナに貼着され、１枚目の毛布本体に対して２枚目の毛布が着脱可能となっている。
【０００６】
また、下記特許文献４には、布団カバーの一側に沿って複数の結び紐を離間して固定し、これら複数の結び紐を、ベッドの一側に設けた係止部に結び付けるようにした、ベッド用掛け具ずり落ち防止装置が記載されている。
【先行技術文献】
【特許文献】
【０００７】
【特許文献１】実用新案登録第３１５３５３３号公報
【特許文献２】特開２００６−１９８３８２号公報
【特許文献３】実用新案登録第３１００２２８号公報
【特許文献４】特開２００１−２８６３７８号公報
【発明の概要】
【発明が解決しようとする課題】
【０００８】
上記特許文献１記載の発明では、掛け布団と敷き布団の両方に帯状片を取付ける必要があり、帯状片が取付けられた専用の寝具としなければならないという不便さがあった。また、帯状片どうしの接合を一対の押さえ板で挟み込んで行うため、連結作業が繁雑となると共に、かさばったり、外観が悪くなったりするという欠点があった。
【０００９】
また、上記特許文献２記載の発明では、布団カバーどうしをファスナで接合するようになっているが、布団カバーは薄地で伸びやすいため、就寝時の寝返り等により、掛け布団が引張られたりした場合には、掛け布団及び敷き布団のカバーどうしが伸びる結果となり、掛け布団の位置ずれ防止性能が不十分であった。また、掛け布団カバーの両側辺を固定するため、圧迫感があって、寝返りしにくくなるという問題があった。
【００１０】
上記特許文献３記載の発明では、毛布の他端が、敷き布団の下に挟み込まれる構成となっているので、寝相が悪く、毛布を蹴り上げたりした場合には、毛布の他端が敷き布団の下から抜け外れてしまう虞れがあり、位置ずれ防止効果が十分に得られない可能性があった。また、専用の毛布を用意しなければならず、汎用性に乏しかった。
【００１１】
更に、複数の結び紐を、逐一、ベッドの係止部に結び付ける必要があるので、掛け布団の固定作業が煩雑であった。また、上記発明は、一側に係止部が設けられたベッド以外には適用することができず、汎用性に乏しかった。
【００１２】
したがって、本発明の目的は、就寝時における敷き具に対する上掛け具の位置ずれを効果的に防止することができると共に、市販の寝具に対しても比較的容易に装着して使用することができる、汎用性の高い、寝具の位置ずれ防止キットを提供することにある。
【課題を解決するための手段】
【００１３】
上記目的を達成するため、本発明の寝具のずれ防止キットは、上掛け具の一辺を、敷き具に対して間接的に連結して、前記上掛け具のずれを防止するために用いられるもので、前記敷き具の下面又は間に挟み込んで使用される固定板と、前記固定板の一側辺に沿って取付けられた第１ファスナと、前記第１ファスナに着脱可能に係合する第２ファスナが取付けられ、前記上掛け具の一辺に沿って取付けられる連結帯とを備え、前記固定板は、少なくとも一箇所において折り畳み可能とされていることを特徴とする。
【００１４】
上記発明によれば、連結帯を上掛け具の一辺に沿って取付け、この連結帯の第１ファスナと、固定板に取付けられた第２ファスナとを係合させて、連結帯を介して固定板の一側辺を上掛け具の一側辺に取付けることができる。
【００１５】
そして、固定板を敷き具の下面又は間に挟み込んで敷き具に間接的に固定することにより、上掛け具の一辺が敷き具の一辺に連結されるので、上掛け具が敷き具に対してずれることを防止できる。
【００１６】
また、上掛け具がずれたときは、固定板に対して反対方向に引張ることにより、ピシッと伸ばすことができる。更に、上掛け具を収納したり、クリーニングしたりするときには、第１ファスナと第２ファスナとを分離することにより、上掛け具から固定板を簡単に取り外すことができる。
【００１７】
また、固定板と連結帯とを備えたキットとなっているので、どのような寝具にも適用することができる。更に、固定板を折り畳むことにより、キットをコンパクトに収容できると共に、収納の際の場所をとらない。
【００１８】
本発明の寝具のずれ防止キットにおいては、前記連結帯には、前記上掛け具の一辺に縫着するときの指標となる縫い付けマーカーが所定間隔で施されていることが好ましい。
【００１９】
これによれば、上掛け部の下辺部に連結帯を載せ、縫い付けマーカーを指標にして、連結帯を上掛け具に縫い付けることにより、連結帯を容易にかつ確実に各種上掛け具に取付けることができる。
【００２０】
本発明の寝具のずれ防止キットにおいては、前記連結帯と前記上掛け具の一辺とを仮固定するための複数のクリップを更に備えることが好ましい。
【００２１】
これによれば、複数のクリップで連結帯と上掛け具の一辺とを仮固定することにより、縫着などの手段によって、上掛け具に連結帯を取付ける作業を、容易にかつずれないように確実に行うことができる。
【００２２】
本発明の寝具のずれ防止キットにおいては、前記固定板は、複数に分割されて、袋状のカバーで覆われ、該カバーは、前記複数に分割された固定板どうしの間で止め縫いされて、該固定板が前記カバー内で大きく動かないように保持されており、前記カバーの一側辺に前記第１ファスナが取付けられていることが好ましい。
【００２３】
これによれば、固定板がカバー内でずれることを防止することができると共に、複数の固定板どうしの間で折曲可能となり、固定板をコンパクトに折り畳むことができる。
【００２４】
本発明の寝具のずれ防止キットにおいては、前記第１ファスナ及び前記第２ファスナは、スライドファスナであることが好ましい。
【００２５】
これによれば、第１ファスナ及び第２ファスナがスライドファスナからなるので、着脱が容易となると共に、上掛け具の一辺を、固定板を介して、敷き具の一辺に沿って線状に連結することができ、ずれ防止効果を高めると共に、連結部の気密性、保温効果、安心感を増して、快眠を誘うことができる。
【００２６】
本発明の寝具のずれ防止キットにおいては、前記固定板は、前記敷き具の幅にほぼ適合する長さを有し、前記敷き具の下辺部に沿って配置されるものであり、前記連結帯は、前記固定板と同様な長さを有し、前記上掛け具の下辺部に沿って取付けられるものであることが好ましい。
【００２７】
これによれば、寝具の足元を固定板とファスナで連結することにより、固定力が寝具に対して面状に伝わり、ずれを効果的に防止できる。固定しているのは足元だけなので、窮屈な締め付け感がなく、布団の出入り、寝返りなどを妨げることがない。寝返りなどでずれた場合でも、上掛け具の襟元をもってピシッと引張るだけで、簡単に伸ばすことができる。
【発明の効果】
【００２８】
本発明によれば、連結帯を上掛け具の一辺に取付け、第１ファスナと第２ファスナとを係合させることで、連結帯を介して固定板の一側辺を上掛け具の一側辺に取付けることができると共に、固定板を敷き具の下面又は間に挟み込んで敷き具に間接的に固定することで、上掛け具の一辺が敷き具の一辺に連結されて、上掛け具が敷き具に対してずれることを防止できる。そして、上掛け具がずれたときは、固定板に対して反対方向に引張ることにより、ピシッと伸ばすことができる。また、第１ファスナと第２ファスナとを分離することで、上掛け具から固定板を簡単に取り外すことができる。更に、固定板と連結帯とを備えたキットとなっているので、どのような寝具にも適用することができる。
【図面の簡単な説明】
【００２９】
【図１】本発明の寝具のずれ防止キットの一実施形態を示す斜視図である。
【図２】同寝具のずれ防止キットの分解斜視図である。
【図３】同寝具のずれ防止キットを構成する固定板及び連結帯を示す斜視図である。
【図４】同寝具のずれ防止キットを構成する連結帯を上掛け具に取付ける際の工程を示しており、（ａ）は上掛け具に連結帯を仮固定する工程を示す説明図、（ｂ）は縫い付けマーカーを指標にして縫着する工程を示す説明図、（ｃ）は連結帯を上掛け具に取付けた状態を示す説明図である。
【発明を実施するための形態】
【００３０】
以下、図１〜４を参照して、本発明における寝具のずれ防止キットの一実施形態について説明する。
【００３１】
図１に示すように、この寝具のずれ防止キット（以下、「ずれ防止キット」という）は、敷き具２０に対する上掛け具１０の位置ずれを防止するために用いられるものである。
【００３２】
図２を併せて参照すると、このずれ防止キットは、敷き具２０の下面又は間に挟み込んで使用される固定板３０と、この固定板３０の一側辺に沿って帯状片３５を介して取付けられた第１ファスナ３１と、この第１ファスナ３１に着脱可能に係合する第２ファスナ５２が取付けられ、上掛け具１０の一辺に沿って取付けられる連結帯５０とを少なくとも備えており、更にこの実施形態では、連結帯５０と上掛け具１０の一辺とを仮固定するための複数のクリップ６０と、連結帯５０を上掛け具１０の一辺に縫着する方法及び使用方法が少なくとも記載された説明書７０とを備えている。
【００３３】
上掛け具１０としては、肌掛け布団、掛け布団、毛布、タオルケット、掛け布団カバー等を採用することができ、敷き具２０としては、敷き布団、マットレス（敷き布団やベッド用）、シーツ、パッド、敷き布団カバー等を採用することができる。また、肌掛け布団の上に掛け布団を載置したり、マットレスの上に敷き布団を載置したりして、これらを複数組み合わせて用いてもよい。
【００３４】
前記固定板３０は、所定の剛性を有すると共に、少なくとも一箇所において折り畳み可能とされている。すなわち、図３に示すように、本実施形態では、それぞれ長方形状をなすと共に、２つに分割されて、短辺どうしを向き合わせて配置された一対の固定板３０，３０を有しており、これらの固定板３０，３０が袋状のカバー３３により覆われて、敷き具２０の幅にほぼ適合する長さで伸びた形状となっている（図１参照）。
【００３５】
また、図３に示すようにカバー３３は、両固定板３０，３０の短辺どうしの間が止め縫いラインＬ１で止め縫いされると共に、各固定板３０の長手方向一側辺（長辺側）の周縁部が止め縫いラインＬ２，Ｌ２に沿ってそれぞれ止め縫いされて、各固定板３０がカバー３３内で大きく動かないように保持されている。その結果、図３の矢印に示すように、止め縫いラインＬ１で止め縫いされた部分を折り目にして、一対の固定板３０，３０を互いに近接させて折り畳むことが可能となっている。なお、この実施形態では、一対の固定板３０，３０を折り畳み可能に構成したが、３枚以上の固定板３０を折り畳み可能に構成してもよい。
【００３６】
また、カバー３３の、止め縫いラインＬ２，Ｌ２よりも外側の部分は、表裏の生地が重ね合わされて細長の帯状片３５をなしており、この帯状片３５の長手方向に沿った一側部に第１ファスナ３１が取付けられている。この実施形態における第１ファスナ３１は、複数のエレメントが直線状に設けられていると共に、スライダ３７がスライド可能に装着されている（図２参照）。
【００３７】
上記固定板３０は、例えば、アクリル樹脂、ポリアセタール、ポリアミド、ポリカーボネート等の合成樹脂や、合板（いわゆるベニヤ板）、パーティクルボード、ファイバーボード等の木質ボードや、アルミニウムや、ステンレス等の金属板、更には、厚紙などで形成することができ、少なくとも前記上掛け具１０よりも剛性が高いものを用いることが好ましい。また、固定板３０の厚さとしては、１〜２０ｍｍであることが好ましく、２〜１０ｍｍであることがより好ましい。なお、固定板３０の４つの角部は、円弧状に丸みを帯びた形状をなしていることが好ましい。
【００３８】
一方、上掛け具１０の一辺に沿って取付けられる連結帯５０は、一対の固定板３０，３０を覆うカバー３３の長さと同様の長さで、かつ、敷き具２０の幅にほぼ適合する長さで伸びた帯状をなしている（図１及び図３参照）。
【００３９】
この連結帯５０の長手方向に沿った一側部に、前記第１ファスナ３１に着脱可能に係合する第２ファスナ５２が取付けられている。この第２ファスナ５２は、前記第１ファスナ３１と同様に、複数のエレメントが直線状に設けられており、第１ファスナ３１と併せてスライドファスナを構成している。
【００４０】
そして、両ファスナ３１，５２を整合させて前記スライダ３７をスライド操作することで、両ファスナ３１，３２のエレメントどうしが互いに係合し又は分離して、スライドファスナが開閉可能となっている。このようなスライドファスナの構造自体は周知の構造であるため、その詳細な説明は省略する。
【００４１】
なお、スライドファスナの構造としては特に限定されるものではなく、例えば、引き手がスライダ３７の表裏両側に反転移動するものや、スライダ３７の表裏両側にそれぞれ引き手を備えたもの等の、表裏両側からスライダ３７を操作可能なものであってもよい。また、スライダ３７が第２ファスナ側に装着されていてもよい。
【００４２】
図２及び図３に示すように、連結帯５０の長手方向に沿った他側部（第２ファスナ５２の反対側）の中央には、中心線マーカーＭ１が設けられている。更に、同他側部には、連結帯５０を上掛け具１０の一辺に縫着するときの指標となる縫い付けマーカーＭ２が所定間隔で施されている。
【００４３】
この実施形態の縫い付けマーカーＭ２は所定径のドット状をなし、所定間隔をあけて複数設けられている。また、縫い付けマーカーＭ２の間隔は、上掛け具１０に対する縫い付け強度及び縫い付け作業性を考慮して、５〜５０ｍｍであることが好ましく、１５〜４０ｍｍであることがより好ましい。
【００４４】
なお、この実施形態では、連結帯５０を上掛け具１０の一辺に縫着により取付けるようにしているが、この態様に限定されるわけではなく、例えばホットメルト接着剤や、ミシン縫い等によって取付けられるようにしてもよい。
【００４５】
また、本実施形態のずれ防止キットは、連結帯５０と前記上掛け具１０の一辺とを仮固定するための複数のクリップ６０と、連結帯５０を上掛け具１０の一辺に縫着する方法及び使用方法が少なくとも記載された説明書７０とを更に備えている。
【００４６】
クリップ６０は、例えば、図４（ａ）に示すように、互いに開閉する一対の把持片６１，６１と、一対の把持片６１，６１の先端部どうしを常時当接するように付勢するバネ６２とからなるものを用いることができるが、この態様に限定されず、連結帯５０と前記上掛け具１０の一辺とを仮固定できればよい。
【００４７】
一方、この実施形態における説明書７０には、連結帯５０を上掛け具１０の一辺に縫着する方法として、（１）上掛け具１０の一辺に連結帯５０の長手方向他側部を重ねて、複数のクリップ６０によって、連結帯５０を上掛け具１０に仮固定する工程（図４（ａ）参照）と、（２）縫合糸を、連結帯５０の表面側からマーカーＭ２に挿通し、上掛け具１０の裏面側に挿出した後、反転して連結帯５０の表面側から抜き出して、隣接するマーカーＭ２に連結帯５０の表面側から挿通する、という作業を繰り返して、複数のマーカーＭ２を指標として連結帯５０を上掛け具１０に縫着すると共に、終端のマーカーＭ２から抜き出した縫合糸を、上掛け具１０を介して再び終端のマーカーＭ２に挿通し、環状に結ぶ工程（図４（ｂ）参照）と、（３）余分な縫合糸を適宜カットして、縫着作業が完了した状態（図４（ｃ）参照）とが記載されている。なお、説明書７０に記載される縫合糸による縫着手順（図４（ｂ）参照）は、上記手順に限定されるものではなく、その他の縫着手順を記載しても勿論よい。
【００４８】
更に、この実施形態における説明書７０には、ずれ防止キットの使用法として、固定板３０を敷き具２０の下面又は複数の敷き具２０の間に挟み込む工程と、固定板３０の第１ファスナ３１を、上掛け具１０の一辺に縫着された連結帯５０の第２ファスナ５２に連結させる工程とが記載されている。
【００４９】
以上説明した、ずれ防止キットを構成する、固定板３０、連結帯５０、クリップ６０、説明書７０は、図示しない収納ケースや収納袋等に収納され、商品として流通されるようになっている。この際、固定板３０は折り畳み可能に構成されているので、収納ケースや収納袋にコンパクトに収容することができ、商品をコンパクトにして流通しやすくすることができる。また、この実施形態では、固定板３０がカバー３３内で位置ずれすることなく保持されているので、外観が良好となると共に、取り扱い性が良好となっている。
【００５０】
次に、上記実施形態のずれ防止キットの使用方法について説明する。
【００５１】
まず、図示しない収納ケース等から、ずれ防止キットの各部材を取り出した後、説明書７０の記載に基づいて、上掛け具１０の一辺、この実施形態では足元側の下辺に、連結帯５０を縫着する。
【００５２】
始めに、図４（ａ）に示すように、上掛け具１０の下辺部の表側の上方に、連結帯５０の長手方向他側部を重ねて載せる。このとき、連結帯５０の長手方向中央に中心線マーカーＭ１が設けられているので、この中心線マーカーＭ１を上掛け具１０の下辺中央に整合させることにより、上掛け具１０の下辺に対して、連結帯５０を所定の位置に正確に重ね合わせることができる。そして、複数のクリップ６０によって、連結帯５０の他側部と上掛け具１０の下辺部とを所定間隔で挟み込み、連結帯５０を上掛け具１０に仮固定する。
【００５３】
この状態で、図４（ｂ）に示す手順により、縫合糸を用いて連結帯５０を上掛け具１０に縫着する。具体的には、端部にコブ状の結び目を作った縫合糸を縫合針に装着し、この縫合針を介して、縫合糸を上掛け具１０の裏面側から挿出させた後、今度は表面側から長手方向一端のマーカーＭ２に挿入し、上掛け具１０の裏面側に挿出させる。次いで、縫合針を反転して、マーカーＭ２，Ｍ２のほぼ中間位置において、縫合糸を連結帯５０の外側辺から表面側に挿出させる。こうして抜き出した縫合針を、更に隣接するマーカーＭ２に連結帯５０の表面側から挿入して、上掛け具１０の裏面側に挿出する。以下、この作業を繰り返して、複数のマーカーＭ２を指標として連結帯５０を上掛け具１０に縫着する。
【００５４】
また、連結帯５０の長手方向他端（終端）においては、他端のマーカーＭ２に挿入した縫合糸を、連結帯５０の他端近傍で掛け具１０の裏面側から表面側へと抜き出した後、再び終端のマーカーＭ２に挿入して環状に結び付ける。
【００５５】
そして、余分な縫合糸を適宜カットすることで、図４（ｃ）に示すように、上掛け具１０の一辺に連結帯５０を縫着することができる。このようにして、説明書７０を参照しつつ、複数の縫い付けマーカーＭ２を指標にして、縫合糸を介して連結帯５０を上掛け具１０に縫着することができるので、裁縫等に不慣れなユーザーであっても、連結帯５０を各種の上掛け具１０に容易かつ確実に縫着することができる。
【００５６】
また、この実施形態では、図４（ａ）に示すように、複数のクリップ６０で、連結帯５０と上掛け具１０の下辺とを仮固定したので、上掛け具１０に連結帯５０を取付けるときに、容易に且つずれないように確実に行うことができるというメリットが得られる。
【００５７】
更に、この実施形態では、上掛け具１０の下辺部の表側の上方に連結帯５０を重ねた状態で縫着するようになっているので、上掛け具１０の下辺部を連結帯５０でしっかりと押さえ込みつつ縫着することができ、連結帯５０を上掛け具１０の下辺部に容易かつ確実に取付けることが可能になると共に、上掛け具１０と連結帯５０との気密性も向上させることができる。
【００５８】
そして、説明書７０を参考にして、カバー３３により覆われた一対の固定板３０，３０を開いて広げ、敷き具２０の足元側の下面又は敷き具どうしの間に挟み込む。すなわち、敷き具２０は、例えば敷き布団、マットレス等で構成されるが、敷き具２０の足元側の下面と、その下に配置される畳、床、ベッド等との間、あるいは、敷き布団の下面とその下に配置されたマットレスの上面など、敷き具どうしの間に挟み込む（図１参照）。
【００５９】
この状態で、第１ファスナ５２を、上掛け具１０の下辺に縫着された連結帯５０の第１ファスナ３１に整合させて、スライダ３７を操作して、両ファスナ３１，５２のエレメントどうしを係合させる。すると、スライドファスナを構成する両ファスナ３１，５２どうしが線状に連結され、図１に示すように、固定板３０を介して、敷き具２０の下辺に沿って上掛け具１０の下辺を線状に連結することができる。
【００６０】
このように、このずれ防止キットにおいては、第１ファスナ３１及び第２ファスナ５２からなるスライドファスナを採用したので、両ファスナ３１，５２をスライダ３７で係合させるだけの簡単な作業で、敷き具２０に上掛け具１０を連結することができ、敷き具２０に対する上掛け具１０の連結作業性を向上させることができる。
【００６１】
なお、引き手がスライダ３７の表裏両側に反転移動するスライドファスナや、スライダ３７の表裏両側にそれぞれ引き手を備えるスライドファスナである場合、スライダ３７を表裏両側から操作することができるので、利便性が向上する。
【００６２】
そして、ユーザーは、上掛け具１０と敷き具２０との間に潜り込んで、眠りに就くことになる。このとき、ユーザーが就寝時に寝返りをうったり、寝相が悪かったりする場合には、上掛け具１０が引張られたり、めくれたりすることがある。
【００６３】
これに対して、このずれ防止キットにおいては、上掛け具１０の下辺が、剛性を有する固定板３０を介して、敷き具２０の下辺に間接的に且つ第１ファスナ３１及び第２ファスナ５２により線状に連結されているので、上掛け具１０が引張られたり、めくれたりして、就寝前の初期位置から位置ずれしそうになっても、敷き具２０に対する上掛け具１０の保持効果が固定板３０を通じて上掛け具１０の全体に面状に広がり、上掛け具１０の位置ずれを効果的に防止することができる。
【００６４】
また、就寝中に上掛け具１０が乱れたり、ずれたりしたことに気づいた場合には、上掛け具１０を、固定板３０に対して引張ることによって、ピシッと伸ばして、乱れやずれを直すことができる。
【００６５】
更に、このずれ防止キットでは、第１ファスナ３１及び第２ファスナ５２と、剛性を有する固定板３０とによって、形状が定まりにくく変形しやすい軟質の上掛け具１０であっても、その位置ずれを効果的に防止して、就寝前の位置に保持することができ、寝冷えが防止されて快適に眠ることができる。
【００６６】
また、このずれ防止キットは、固定板３０と連結帯５０とを備えたものとなっているので、畳やフローリング等に敷設される敷き布団タイプの寝具のみならず、ベッドのマットレス等にも適用することでき、どのような寝具にも適用することが可能となっている。
【００６７】
なお、このずれ防止キットを、ダブルベット等のマットレスのように、幅が広い敷き具１０に適用する場合には、幅広の敷き具１０の幅に合わせて、固定板３０及び連結帯５０を長く形成するか、又は、図１〜４に示すようなシングルタイプのものを２つ並べて、敷き具１０の長さに合わせてもよく、使用態様に応じて適宜用いることができる。
【００６８】
更に、この実施形態では、第１ファスナ３１及び第２ファスナ５２からなるスライドファスナを用いたことにより、両ファスナ３１，５２どうしを強固に連結させて、それらの連結部の気密性や、保持効果を高めることができると共に、両ファスナ３１，５２が強固に連結されていることにより使用時の安心感を増大させて、ユーザーの快眠を誘うことができる。
【００６９】
また、この実施形態では、敷き具２０の足下側の下辺と、上掛け具１０の足下側の下辺とが連結され、連結部分が足元だけとされているので、窮屈な締め付け感がなく、布団の出入り、寝返りなどを妨げることがない。
【００７０】
ところで、上掛け具１０を収納やクリーニング等のために、固定板３０を取外す場合には、スライダ３７を取付時とは反対方向にスライド操作して、スライドファスナを開くことにより、第１ファスナ３１及び第２ファスナ５２が分離されて、上掛け具１０から固定板３０を取外すことができる。
【００７１】
また、上述したように、一対の固定板３０，３０は、止め縫いラインＬ１が止め縫いされた部分を介して、コンパクトに折り畳むことができるので、固定板３０を収納時に場所をとらないというメリットが得られる。
【００７２】
なお、上掛け具１０の取外し作業は、固定板３０を敷き具２０の下面に挟み込んだまま行うか、敷き具２０の下面から固定板３０を引き抜いた後に行ってもよく、その作業手順は自由である。
【符号の説明】
【００７３】
１０  上掛け具
２０  敷き具
３０  固定板
３１  第１ファスナ
３３  カバー
３５  帯状片
３７  スライダ
５０  連結帯
５２  第２ファスナ
６０  クリップ
６１  把持片
６２  バネ
７０  説明書
Ｌ１，Ｌ２  止め縫いライン
Ｍ１  中心線マーカー
Ｍ２  縫い付けマーカー
【図１】
2012245283.tif 000003
【図２】
2012245283.tif 000004
【図３】
2012245283.tif 000005
【図４】
2012245283.tif 000006